(57)【要約】【課題】  ３チャンネル分のメモリ容量、画像処理回路がなくても、３チャンネル出力するＣＣＤのカラー画像処理を実行することができ、また、画像処理部分のコストが安い画像読取装置を提供することを目的とするものである。【解決手段】  １回の蓄積時間内で、読み取り原稿における同じ位置に対応する複数色の画像信号を同時に出力するラインセンサを使用した画像読取装置において、１回の蓄積時間内で同時に出力される複数色の画像信号のうちで、１つの画像信号のみを選択する選択手段と、上記選択手段が選択した画像信号について、画像処理する画像処理手段とを有し、上記選択手段が画像信号を順次、切り換えることによって、上記画像処理手段が、上記複数色の画像信号の全てについて、順次画像処理を行い、複数回の蓄積時間で１ライン分の画像データを処理する画像読取装置である。【選択図】  図１
2005094660.tif 000002
【特許請求の範囲】
【請求項１】
１回の蓄積時間内で、読み取り原稿における同じ位置に対応する複数色の画像信号を同時に出力するラインセンサを使用した画像読取装置において、
１回の蓄積時間内で同時に出力される複数色の画像信号のうちで、１つの画像信号のみを選択する選択手段と；
上記選択手段が選択した画像信号について、画像処理する画像処理手段と；
を有し、上記選択手段が画像信号を順次、切り換えることによって、上記画像処理手段が、上記複数色の画像信号の全てについて、順次画像処理を行い、複数回の蓄積時間で１ライン分の画像データを処理することを特徴とする画像読取装置。
【発明の詳細な説明】
【技術分野】
【０００１】
本発明は、原稿の画像を読み取り、読み取った画像データを出力する画像読取装置に関する。
【背景技術】
【０００２】
一般に、原稿の画像を読み取り、読み取った画像データを出力する画像読取装置では、画素ごとに対応している複数のセンサが一列に配置されているラインセンサを用いて、原稿を１ラインずつ読み取る。
【０００３】
ラインセンサとしては、ＣＣＤセンサ、密着型センサ（ＣＩＳ）の２つのタイプが知られている。それぞれに特徴があるので、画像読取装置の性格に応じて、使用するセンサを選択する。
【０００４】
ラインセンサを用いてカラー原稿を読み取る場合、カラーＣＣＤセンサでは、通常、ＲＧＢのそれぞれの色に対応するセンサが、それぞれ１ライン分ずつ用意され、すなわち３ライン分用意され、白色光源を用いて１回の蓄積時間で、ＲＧＢの３色について各１ラインの出力信号を同時に得ることができる。
【０００５】
また、ＣＩＳでは、通常、センサは１ライン分のみが使用され、ＲＧＢのそれぞれに応じて、光源の色を切り換え、１回の蓄積時間内に、ＲＧＢのうちの１色について１ライン分の出力信号を得る。したがって、ＣＩＳを使用した場合、３回の蓄積時間が経過した後に、１ライン分のＲＧＢのデータが揃う。
【０００６】
図４は、ＣＣＤを使用した場合に、１ライン毎に出力する画像信号の例と、ＣＩＳを使用した場合に、１ライン毎に出力する画像信号の例とを示す図である。
【０００７】
図４において、信号ＴＧの１つの間隔が、蓄積時間であり、Ｖｏｕｔが、出力画像信号である。
【０００８】
使用するセンサに応じて、画像処理装置における画像処理の方法が異なる。つまり、カラーＣＣＤセンサは、ＲＧＢの画像信号の出力がそれぞれ独立し、１回の蓄積時間のサイクルで、読取画像原稿における同じ位置のＲＧＢの画像信号が同時に出力される。したがって、その後の画像信号処理回路も、１回の蓄積時間内で、３つの画像信号を同時に処理できるように、各色に対応する３チャンネルの画像処理回路を必要とする。
【０００９】
一方、ＣＩＳは、出力画像信号が１チャンネルのみであり、１回の蓄積時間内では、１色分の画像信号のみを出力する。したがって、その後の画像信号処理回路も、１チャンネル分のみを設ければ足りる。
【００１０】
図５は、従来の画像処理回路の例を示す図であり、図５（１）は、ＣＣＤを使用した場合における従来の画像処理回路の例（たとえば、特許文献１参照）を示し、図５（２）は、ＣＩＳを使用した場合における従来の画像処理回路の例（たとえば、特許文献２参照）を示す図である。
【特許文献１】特開平５−１０３１８５号公報
【特許文献２】特開２００１−３２０５５９公報
【発明の開示】
【発明が解決しようとする課題】
【００１１】
画像読取センサとしてＣＣＤを使用した場合に、上記のように３チャンネルの信号を同時に処理する回路を必要とするので、システムが複雑化し、装置のコストが上がるという問題がある。
【００１２】
また、画像読取センサとしてＣＩＳを使用した画像読取装置と、画像読取センサとしてＣＣＤを使用した画像読取装置との間で、ハードウェア、ソフトウェアのそれぞれが全く異なるので、画像読取センサとしてＣＩＳを使用した画像読取装置から、画像読取センサとしてＣＣＤを使用した画像読取装置への変更が容易ではないという問題がある。
【００１３】
本発明は、３チャンネル分のメモリ容量、画像処理回路がなくても、３チャンネル出力するＣＣＤのカラー画像処理を実行することができ、また、画像処理部分のコストが安い画像読取装置を提供することを目的とするものである。
【００１４】
また、本発明は、画像読取センサとしてＣＣＤを使用している画像読取装置において、画像読取センサとしてＣＩＳを使用するように変更する場合、その変更が少ない画像読取装置を提供することを目的とするものである。
【課題を解決するための手段】
【００１５】
本発明は、１回の蓄積時間内で、読み取り原稿における同じ位置に対応する複数色の画像信号を同時に出力するラインセンサを使用した画像読取装置において、１回の蓄積時間内で同時に出力される複数色の画像信号のうちで、１つの画像信号のみを選択する選択手段と、上記選択手段が選択した画像信号について、画像処理する画像処理手段とを有し、上記選択手段が画像信号を順次、切り換えることによって、上記画像処理手段が、上記複数色の画像信号の全てについて、順次画像処理を行い、複数回の蓄積時間で１ライン分の画像データを処理する画像読取装置である。
【発明の効果】
【００１６】
本発明によれば、ＣＣＤが３チャンネル分の信号を出力した場合、３チャンネル分のメモリ容量、画像処理回路がなくても、カラー画像処理を実行することができ、また、画像処理部分のコストを安くすることができるという効果を奏する。
【００１７】
また、本発明によれば、画像読取センサとしてＣＣＤを使用している画像読取装置において、画像読取センサとしてＣＩＳを使用するように変更する場合、その変更が少ないという効果を奏する。
【発明を実施するための最良の形態】
【００１８】
発明を実施するための最良の形態は、以下の実施例である。
【実施例１】
【００１９】
図１は、本発明の実施例１である画像読取装置ＩＲ１を示すブロック図である。
【００２０】
画像読取装置ＩＲ１は、ＣＣＤラインセンサ１と、クロックジェネレータ２と、コントロール部３と、スイッチ４と、ゲイン制御回路、オフセット調整回路５と、ＡＤコンバータ６と、シェーディング補正回路７と、メモリ８ａ、８ｂと、ＬＵＴ（Ｌｏｏｋ  Ｕｐ  Ｔａｂｌｅ）９と、画像処理回路１０と、出力制御部１１とを有する。
【００２１】
ＣＣＤラインセンサ１は、クロックジェネレータ２からの駆動信号によって、画像信号を出力する。スイッチ４は、ＣＣＤ１からのＲＧＢの画像信号を入力し、コントロール部３からの信号によって、ＲＧＢの画像信号のうち１つの画像信号を選択し、出力する。
【００２２】
ゲイン制御回路、オフセット調整回路５は、画像信号のレベルを増幅するゲイン制御回路と、オフセット調整回路とによって構成されている。ＡＤコンバータ６は、アナログの画像信号をデジタルの画像データに変換する。前段のゲイン制御回路、オフセット調整回路５によって、画像信号は、ＡＤコンバータ６の入力レンジに合うように調整されている。シェーディング補正回路７は、画素ごとのシェーディング補正演算を行う。ＬＵＴ（Ｌｏｏｋ  Ｕｐ  Ｔａｂｌｅ）９は、ガンマ変換を行う。画像処理回路１０によって各種画像処理された画像データは、出力制御部１１によって出力され、たとえばプリンタやパソコンなどの出力機器に出力される。
【００２３】
メモリ８ａ、８ｂは、シェーディング補正時や各種画像処理時に必要なデータを保持するメモリである。
【００２４】
次に、上記実施例の動作について説明する。
【００２５】
図２は、上記実施例において、画像信号の切り換え動作を説明する図である。
【００２６】
信号ＴＧは、クロックジェネレータ２で生成され、ＣＣＤ１に入力されるパルス信号であり、信号ＴＧの間隔は、ＣＣＤ１が出力する１ライン分の画像信号の蓄積時間である。また、信号ＴＧによって、ＣＣＤ１は、１ラインの信号を、先頭の画素から順次、出力する。スイッチ４には、ＣＣＤ１からの画像信号出力Ｖｉｎが、ＲＧＢ同時に入力される。信号ｓ１は、信号ＴＧと同時に切り換えられる選択信号であり、図２に示す信号ｓ１が、Ｒｓｅｌである場合、スイッチ４は、入力信号のうちで、Ｒ信号のみを出力する。
【００２７】
Ｇｓｅｌ、Ｂｓｅｌの場合も、上記と同様に、それぞれＧ信号のみ、Ｂ信号のみを、出力信号Ｖｏｕｔとして出力する。カラー読取の場合、信号ｓ１は、図２に示すように、Ｒｓｅｌ→Ｇｓｅｌ→Ｂｓｅｌの順で切り換えられる。
【００２８】
コントロール回路３は、クロックジェネレータ２から信号ＴＧを受け取り、信号ＴＧのタイミングで、信号ｓ１を順次切り換える。スイッチ４から出力された画像信号は、図１に示す回路によって、ＲＧＢ各色ごとに、順次ＡＤ変換と画像処理とが行われる。画像処理が行われたデータは、ラインごとにメモリに保持されるので、最終的に、３回の蓄積時間で、ＲＧＢがそろった１ラインの画像データを得ることができる。
【００２９】
また、上記実施例においては、ゲイン制御回路、オフセット調整回路５にも、信号ｓ１が送られる。これは、ＲＧＢの画像信号のそれぞれで、ゲインまたはオフセットを変えたい場合に有効である。
【００３０】
ゲイン制御回路、オフセット調整回路５には、ＲＧＢのそれぞれに応じたゲインとオフセットとの変数を記憶したレジスタを持ち、信号ｓ１によってそれらを選択することによって、各色で適正なゲインとオフセット調整とが得られる。
【００３１】
次に、上記実施例において、モノクロ読取を行う場合について説明する。
【００３２】
モノクロ読取の方法としては、ＲＧＢ３色の出力データをモノクロデータに変換する方法もあるが、実用上特に問題はないので、単色で読み取った結果をモノクロデータとして用いる方法も採用される。
【００３３】
上記実施例において、前者の方法（ＲＧＢ３色の出力データをモノクロデータに変換する方法）では、モノクロ１ラインのデータを得る場合、３回の蓄積時間がかかるので、スピードが重視されるモノクロデータの読取には適さない。したがって、スピードが重視される場合には、後者の方法（単色で読み取った結果をモノクロデータとして用いる方法）が採用される。
【００３４】
図３は、上記実施例において、画像信号を切り換えない動作を説明する図である。
【００３５】
図３に示すように、たとえば信号ｓ１を切り換えず、常に同じ色を選択するようにすれば、単色で読み取った結果をモノクロデータとして用いる方法を実現することができる。
【００３６】
図３に示す例では、Ｇ信号を選択しているが、他の信号を選択するようにしてもよく、原稿の状況等に応じて選択する色を選ぶこともできる。
【００３７】
つまり、上記実施例は、１回の蓄積時間内で、読み取り原稿における同じ位置に対応する複数色の画像信号を同時に出力するラインセンサを使用した画像読取装置において、１回の蓄積時間内で同時に出力される複数色の画像信号のうちで、１つの画像信号のみを選択する選択手段と、上記選択手段が選択した画像信号について、画像処理する画像処理手段とを有し、上記選択手段が画像信号を順次、切り換えることによって、上記画像処理手段が、上記複数色の画像信号の全てについて、順次画像処理を行い、複数回の蓄積時間で１ライン分の画像データを処理する画像読取装置の例である。
【００３８】
なお、スイッチ４は、１回の蓄積時間内で同時に出力される複数色の画像信号のうちで、１つの画像信号のみを選択する選択手段の例であり、ゲイン制御回路、オフセット調整回路５〜画像処理回路１０は、上記選択手段が選択した画像信号について、画像処理する画像処理手段の例である。
【図面の簡単な説明】
【００３９】
【図１】本発明の実施例１である画像読取装置ＩＲ１を示すブロック図である。
【図２】上記実施例において、画像信号の切り換え動作を説明する図である。
【図３】上記実施例において、画像信号を切り換えない動作を説明する図である。
【図４】ＣＣＤを使用した場合に、１ライン毎に出力する画像信号の例と、ＣＩＳを使用した場合に、１ライン毎に出力する画像信号の例とを示す図である。
【図５】従来の画像処理回路の例を示す図であり、図５（１）は、ＣＣＤを使用した場合における従来の画像処理回路の例を示し、図５（２）は、ＣＩＳを使用した場合における従来の画像処理回路の例を示す図である。
【符号の説明】
【００４０】
ＩＲ１…画像読取装置、
１…ＣＣＤ、
２…クロックジェネレータ、
３…コントロール部、
４…スイッチ、
５…ゲイン制御回路、オフセット調整回路、
６…ＡＤコンバータ、
７…シェーディング補正、
８ａ、８ｂ…メモリ、
９…ガンマ変換ＬＵＴ、
１０…画像処理回路、
１１…出力制御部。
【図１】
2005094660.tif 000003
【図２】
2005094660.tif 000004
【図３】
2005094660.tif 000005
【図４】
2005094660.tif 000006
【図５】
2005094660.tif 000007